(57)【特許請求の範囲】
【請求項１】
ホルダと、
ホルダに回転可能に取り付けられる回転軸と、を含み、
前記回転軸の表面に、フレキシブル表示部品を固定する係止溝が軸方向に開設されており、
前記回転軸の内部に、フレキシブル表示部品の内部回線の電気パラメータを検出する測定モジュールが設けられており、
前記測定モジュールは、フレキシブル表示部品に電気的に接続される測定接触点を有していることを特徴とするフレキシブル表示部品信頼性の測定治具。
【請求項２】
前記測定モジュールは、電流検出モジュール、抵抗検出モジュール又は静電容量検出モジュールであることを特徴とする、請求項１に記載のフレキシブル表示部品信頼性の測定治具。
【請求項３】
前記回転軸は中空軸であり、
前記係止溝は、前記回転軸の中空部と連通されており、
前記測定モジュールは、前記中空部に収容されていることを特徴とする、請求項１に記載のフレキシブル表示部品信頼性の測定治具。
【請求項４】
前記回転軸は中実軸であり、
前記測定モジュールは、前記係止溝に収容されていることを特徴とする、請求項１に記載のフレキシブル表示部品信頼性の測定治具。
【請求項５】
前記回転軸の回転数は調整可能であることを特徴とする、請求項１に記載のフレキシブル表示部品信頼性の測定治具。
【請求項６】
前記フレキシブル表示部品信頼性の測定治具は、前記回転軸を回転駆動する動力機構を更に含むことを特徴とする、請求項１に記載のフレキシブル表示部品信頼性の測定治具。
【請求項７】
請求項１乃至６のいずれか一項に記載の測定治具と、
測定モジュールに電気的に接続され、測定モジュールから出力された測定値を記録する制御システムと、を含むことを特徴とするフレキシブル表示部品信頼性のオンライン測定設備。
【請求項８】
前記測定値は、電流値、電流周波数、抵抗値又は静電容量値であることを特徴とする、請求項７に記載のフレキシブル表示部品信頼性のオンライン測定設備。
【請求項９】
報告システムを更に含み、
前記制御システムは、測定モジュールから出力された、巻き曲げられた後の測定値と巻き曲げられる前の測定値とを比較して、表示部品の巻き曲げ回数が所定回数に達したとき、測定値の変化量が所定標準値以上となった場合、制御システムは、前記報告システムが不合格を報告するように制御し、測定値の変化量が所定標準値未満である場合、前記報告システムは合格を報告することを特徴とする、請求項７に記載のフレキシブル表示部品信頼性のオンライン測定設備。
【請求項１０】
表示装置を更に含み、
前記制御システムは、測定モジュールから出力された、巻き曲げられた後の測定値と巻き曲げられる前の測定値とを比較して、巻き曲げ回数と測定値の変化量との対応関係を前記表示装置が表示するように制御することを特徴とする、請求項７に記載のフレキシブル表示部品信頼性のオンライン測定設備。
【発明の詳細な説明】
【技術分野】
【０００１】
本発明は、フレキシブル表示部品の信頼性測定分野に関し、特にフレキシブル表示部品信頼性の測定治具、及びそれを備えるフレキシブル表示部品信頼性のオンライン測定設備に関する。
【背景技術】
【０００２】
従来のフレキシブル表示部品信頼性の測定設備は、ほとんど測定の後にしか測定の結果を取得できない。オンライン設備と組み合わせることもできなく、統一の測定標準もなく、且つ内部回線の変化を感知することもできないと、測定回数とフレキシブル表示部品の内部回線の失効との関係を確実に取得できなく、所期のデータベースを提供することもできない。
【発明の概要】
【発明が解決しようとする課題】
【０００３】
これを鑑みて、本発明は、オンライン設備と組み合わせてフレキシブル表示部品信頼性のオンライン測定設備を構成して、フレキシブル表示部品の内部回線の変化を測定することができるフレキシブル表示部品信頼性の測定治具を提供する。
【課題を解決するための手段】
【０００４】
フレキシブル表示部品信頼性の測定治具は、ホルダと、ホルダに回転可能に取り付けられる回転軸とを含み、前記回転軸の表面にフレキシブル表示部品を固定する係止溝が軸方向に開設されており、前記回転軸の内部にフレキシブル表示部品の内部回線の電気パラメータを検出する測定モジュールが設けられており、前記測定モジュールは、フレキシブル表示部品に電気的に接続される測定接触点を有している。
【０００５】
上記フレキシブル表示部品の信頼性の測定治具によれば、測定するとき、フレキシブル表示部品は係止溝により固定されて測定モジュールに電気的に接続されており、これにより、回転軸がフレキシブル表示部品を巻き曲げる度に、測定モジュールは、巻き曲げられたフレキシブル表示部品の内部回線の電気パラメータをタイムリーに検出することができ、上記フレキシブル表示部品信頼性の測定治具は、オンライン設備と組み合わせてフレキシブル表示部品信頼性のオンライン測定設備を構成して、フレキシブル表示部品の内部回線の変化をリアルタイムに測定することができる。
【０００６】
一実施例において、前記測定モジュールは、電流検出モジュール、抵抗検出モジュール又は静電容量検出モジュールを含んでもよい。
【０００７】
一実施例において、前記回転軸は、中空軸であり、前記係止溝は、回転軸の中空部と連通されており、前記測定モジュールは、前記中空部に収容されてもよい。
【０００８】
一実施例において、前記回転軸は、中実軸であり、前記測定モジュールは、前記係止溝に収容されてもよい。
【０００９】
一実施例において、前記回転軸の回転数は調整可能である。
【００１０】
一実施例において、前記フレキシブル表示部品信頼性の測定設備は、前記回転軸を回転駆動する動力機構を更に含んでもよい。
【００１１】
本発明は、前記測定治具と、測定モジュールに電気的に接続され、測定モジュールから出力された測定値を記録する制御システムとを含むフレキシブル表示部品信頼性のオンライン測定設備を更に提供する。
【００１２】
一の実施例において、前記測定値は、電流値、電流周波数、抵抗値又は静電容量値であってよい。
【００１３】
一実施例において、フレキシブル表示部品信頼性のオンライン測定設備は報告システムを更に含み、前記制御システムは、測定モジュールから出力された、巻き曲げられた後の測定値と巻き曲げられる前の測定値とを比較して、前記表示部品の巻き曲げ回数が所定回数に達したとき、測定値の変化量が所定標準値以上となった場合、制御システムは、前記報告システムが不合格を報告するように制御し、測定値の変化量が所定標準値未満である場合、制御システムは、前記報告システムが合格を報告するように制御する。
【００１４】
一実施例において、フレキシブル表示部品信頼性のオンライン測定設備は表示装置を更に含み、前記制御システムは、測定モジュールから出力された、巻き曲げられた後の測定値と巻き曲げられる前の測定値とを比較して、巻き曲げ回数と測定値の変化量との対応関係を前記表示装置が表示するように制御する。
【図面の簡単な説明】
【００１５】
【図１】本発明に係るフレキシブル表示部品の信頼性オンライン測定設備の模式図である。
【発明を実施するための形態】
【００１６】
本発明の上記目的、特徴及び利点をより明確にさせるため、以下、図面を参照しつつ、本発明の具体的な実施例を詳細に説明する。次の説明において、本発明が十分に理解されるために具体的な内容を述べているが、本発明は、本明細書で述べている実施例と異なる実施例で実施されることができ、当業者にとって、本発明の精神を逸脱しないかぎり、改良することができ、よって、本発明は以下の具体的な実施例に限定されていない。
【００１７】
本明細書では、部品が他部品に「固定」されるとは、当該他部品に直接的に固定されてもよく、又は、また更に別の部品を介して前記他部品に固定されてもよい。部品が他部品に「接続」されるとは、当該他部品に直接的に接続されてもよく、又は、また更に別の部品を介して接続されてもよい。
【００１８】
特記がないかぎり、本明細書で使用される全ての技術用語と科学用語は、当業者が通常理解している意味を有するものとする。本明細書で使用される用語は、具体的な実施例を説明するためのものに過ぎず、本発明を限定するためのものではない。本明細書で使用される「及び/又は」とは、一つ又は複数の列記される要素の任意及び全ての組合せを含む。
【００１９】
次に図面を参照して本発明の好ましい実施例を説明する。
【００２０】
図面１に示すように、本発明に係るフレキシブル表示部品信頼性のオンライン測定設備１００は、フレキシブル表示部品の信頼性測定に用いられるが、具体的に、異なる回数で巻き曲げられた状態でのフレキシブル表示部品の内部回線のそれぞれの電気性能を測定して、内部回線の寿命、老化等のデータを検出する。ここで、フレキシブル表示部品は、広義的に理解されるものであり、完全なフレキシブルディスプレーに限られず、フレキシブルディスプレーの製造時において数量が異なる機能層を有している部品であってもよい。
【００２１】
図面１に示すように、フレキシブル表示部品信頼性のオンライン測定設備１００は、測定治具を含む。測定治具は、ホルダ１１０と、ホルダ１１０に取り付けられた回転軸１２０と、回転軸１２０の内部に設けられている測定モジュール１３０とを含む。
【００２２】
ホルダ１１０は、回転軸１２０の回転を支持する。ホルダ１１０の構成は、所望に応じて決められるものであり、ライン作業設備に接続できるように設けられてもよい。
【００２３】
測定治具は、回転軸１２０を回転駆動する動力機構、例えばモータを更に含んでもよい。動力機構は、ホルダ１１０に取り付けられてもよい。動力機構は、測定治具の付属品としてユーザーにより自主選択されるものであってもよい。
【００２４】
回転軸１２０は、測定モジュール１３０を収容する中空部を有する中空軸である。回転軸１２０の表面には、軸方向に沿って、中空部と径方向に連通されている係止溝１２２が開設されている。係止溝１２２は、フレキシブル表示部品（図示せず）を係止して固定するためのものである。
【００２５】
回転軸１２０は、フレキシブル表示部品の内部線路が巻き曲げられた状態での電気性能を測定モジュール１３０により測定するために、回転することでフレキシブル表示部品を巻き曲げる。測定するとき、フレキシブル表示部品は、一端が係止溝１２２に係入し、回転軸１２０の回転に従って巻き曲げられ、測定モジュール１３０により測定され、そして逆方向の回転により回復し、その後、回転軸１２０の回転に従ってフレキシブル表示部品は再び巻き曲げられて測定され、このように繰り返される。測定モジュール１３０は、毎回巻き曲げられた時のフレキシブル表示部品の内部回線の電気パラメータを測定することができ、フレキシブル表示部品の内部回線の変化をタイムリーに検出することができる。
【００２６】
測定モジュール１３０は、フレキシブル表示部品が係止溝１２２に挿入された後にフレキシブル表示部品の接続点と電気的に接続される。測定モジュール１３０には、フレキシブル表示部品と電気的に接続されるための測定接触点１３２が設けられている。測定モジュール１３０が回転軸１２０の中空部に位置する場合、測定接触点１３２は、測定モジュール１３０とフレキシブル表示部品の接続点とが係止溝１２２において接触できるように、係止溝１２２の中に位置してもよい。測定接触点１３２は、測定モジュール１３０とフレキシブル表示部品の接続点とが回転軸１２０の中空部において電気的に接続できるように回転軸１２０の中空部に位置してもよい。
【００２７】
なお、回転軸１２０は、その表面に軸方向に延びる係止溝１２２が開設されているだけの中実軸であってもよい。測定モジュール１３０は係止溝１２２に収容されており、フレキシブル表示部品は、係止溝１２２に挿入されて測定モジュール１３０に電気的に接続される。
【００２８】
測定モジュール１３０は、巻き曲げられたフレキシブル表示部品の内部回線の電気パラメータを測定する。フレキシブル表示部品の信頼性測定を行うとき、測定対象としての各機能層は測定対象層といい、測定は一般的に、金属層に係るフレキシブル表示部品信頼性測定と、媒質層（例えば窒化ケイ素層、二酸化ケイ素層）に係るフレキシブル表示部品信頼性測定とを含む。
【００２９】
金属層は、巻き曲げられたとき、ひび割れが出て抵抗が変化することがある。巻き曲げられた回数が増えるにつれて、ひび割れがひどくなり、抵抗の変化もだんだん大きくなる。金属層が完全に断裂すると、開路となり、抵抗は最大となる。
【００３０】
媒質層は、巻き曲げられたとき、ひび割れが出て静電容量が変化する可能性がある。ひび割れがひどくなるにつれて、静電容量の変化はだんだん大きくなる。媒質層が完全に断裂すると、静電容量は最大となる。
【００３１】
測定モジュール１３０は、一般的に、前記測定接触点１３２がそれぞれに設けられる又は共有する、抵抗検出モジュール、静電容量検出モジュール及び電流検出モジュールを含む。そのうち、金属層の回線の抵抗変化についは、抵抗検出モジュールにより直接的に抵抗変化値を検出してもよく、電流検出モジュールにより検出してもよい。媒質層の静電容量変化については、静電容量検出モジュールにより直接的に静電容量値を検出してもよく、電流検出モジュールを介して検出してもよい。
【００３２】
抵抗及び静電容量の変化は、電流の変化に転換することができる。よって、電流検出モジュールは、測定対象層の回線の電流を検出することにより、内部回線の変化を検出することができる。抵抗及び静電容量の変化は他の電気信号にも転換することができ、例えば、抵抗及び静電容量の変化による電流周波数の変化を検出することにより、内部回線の変化を検出する。
【００３３】
金属層の抵抗変化については、抵抗検出モジュール又は電流検出モジュールにより検出してよい。一般的には、検出対象金属層の回線が太い場合、太い回線が曲がったときに抵抗変化が顕著であるため、抵抗検出モジュールにより抵抗変化を検出する。検出対象金属層の回線が細い場合、その巻き曲げられる前後の抵抗変化が十分に顕著でないことがあるため、抵抗検出モジュールによる検出は十分に精確でないことがあるので、電流検出モジュールによって巻き曲げられたことによる電流変化を検出する。
【００３４】
これにより、測定モジュール１３０により内部回線の変化を検出することができる。例えば、完全に断裂したときの巻き曲げ回数が判る。例えば、所定回数まで巻き曲げられたときの測定値の変化が把握でき、従って、ひび割れの程度、即ち、寿命、老化の状態が判る。
【００３５】
フレキシブル表示部品信頼性のオンライン測定設備１００は、測定モジュール１３０に電気的に接続される制御システム１４０と、制御システム１４０に接続される報告システム１５０及び表示装置１６０とを、更に含む。制御システム１４０は、測定治具と組み合わせて完全なオンライン測定設備を構成するオンライン設備である。報告システム１５０及び表示装置１６０は、測定結果を出力する出力装置である。
【００３６】
報告システム１５０には、単独に又は同時にすべて報告することができる、発声装置、発光装置又は振動装置等が設けられている。表示装置１６０は、測定情報、例えばフレキシブル表示部品の巻き曲げ回数と測定値の変化量との対応関係を表示することができる。測定対象層のパラメータの変化が標準値を超えたとき、制御システム１４０は、報告システム１５０を、報告を行うように制御する。
【００３７】
以下、金属層のフレキシブル表示部品の信頼性測定を例示として、フレキシブル表示部品信頼性のオンライン測定設備１００の測定流れを説明する。
【００３８】
フレキシブル表示部品の金属層のフレキシブル表示部品信頼性を測定するとき、フレキシブル表示部品を回転軸１２０の係止溝１２２に係入し、金属層の測定用の接続点と測定接触点１３２とを電気的に接触させる。測定モジュール１３０は、電流検出モジュールであり、フレキシブル表示部品に接続されると金属層の測定対象回線を流れる電流をリアルタイムで測定する。
【００３９】
次、回転軸１２０を回転駆動して、フレキシブル表示部品を回転軸１２０に巻きつける。ここで、以下のことを説明すべきである。その一、回転軸１２０の形状及び半径は、フレキシブル表示部品の巻き曲げ率の所望値に応じて決められればよく、回転軸１２０の回転数は、異なる強度の測定に対応できるように調整可能である。その二、フレキシブル表示部品の巻き曲げられる量（長さ）は、需要に応じて決まられればよい。必ずしも回転軸１２０に全て巻かなければならないことでなく、需要に応じて、フレキシブル表示部品の全長において一部だけを巻き曲げてもよい。
【００４０】
フレキシブル表示部品が回復するように回転軸１２０を逆方向に回転させ、そして、回転軸１２０によりフレキシブル表示部品を再び巻き曲げて測定を行う。このように繰り返して、測定モジュール１３０は、毎回巻き曲げられたときに金属層を流れる電流を検出することができる。
【００４１】
制御システム１４０は、測定モジュール１３０から出力された、巻き曲げられた後の測定値と巻き曲げられる前の測定値とを比較する。フレキシブル表示部品の巻き曲げら回数が所定回数（例えば、３００回まで断裂しないと要求されている場合、所定回数は３００回とする）に達したとき、測定値の変化量が所定標準値以上となった場合、金属層のひび割れ程度が許容範囲を超え、巻き曲げ能力が要求に合致しないと判定され、このとき、制御システム１４０は、報告システム１５０が不合格を報告するように制御する。測定値の変化量が所定標準値未満である場合、金属層にひび割れが発生したが、ひび割れ程度が標準値を超えていないと判定され、このとき、報告システム１５０は合格を報告する。
【００４２】
不合格報告及び合格報告は、異なる報告方式により実現することができる。例えば、異なる電子合成された人間音により報告してもよく、異なるホイッスル音により報告してもよい。
【００４３】
測定結果の出力は、報告装置に依存するだけでなく、フレキシブル表示部品の巻き曲げ回数と測定値の変化量との対応関係を制御システム１４０が表示装置１６０に表示させ、作業員により監視するようにしてもよい。
【００４４】
上記測定流れは、電流検出モジュールによる測定を例示として説明したが、抵抗検出モジュールによる測定の流れはそれと類似しているため、重複説明を省略する。媒質層のフレキシブル表示部品信頼性の測定は金属層の測定方法と類似しているため、重複説明を省略する。
【００４５】
以上をまとめると、本発明に係るフレキシブル表示部品信頼性のオンライン測定設備１００は、フレキシブル表示部品の内部回線の変化を検出して、失効状況をタイムリーに獲得ことができる。
【００４６】
前記実施例の各技術的特徴を任意に組み合わせることができ、説明の便宜上、前記実施例の各技術的特徴の全ての組合せを説明していないが、これらの技術的特徴の組合せは矛盾しなければ、本明細書の記載範囲に含まれると理解されるのが当然である。
【００４７】
前記実施例により、本発明のいくつかの実施形態を具体的且つ詳細に説明したが、本発明はこれらに限定されていない。当業者にとって、本発明の精神を逸脱しないかぎり、様々な変形や改良も本発明の保護範囲に含まれる。よって、本発明の保護範囲は、請求項の限定した範囲を基準とする。
【図１】
0006543773.tif 000002